【手続補正書】
【提出日】平成16年12月17日(2004.12.17)
【手続補正１】
【補正対象書類名】明細書
【補正対象項目名】特許請求の範囲
【補正方法】変更
【補正の内容】
【特許請求の範囲】
【請求項１】
ホログラムと屈折型レンズからなる複合対物レンズであって、
前記ホログラムは、少なくとも内周部に形成された鋸歯状断面形状を有する格子を備え、前記鋸歯状断面形状の深さｈ１は、３９０ｎｍ〜４１５ｎｍの範囲内にある波長λ１を有する第１光ビームに対して約２波長の光路差を与えて＋２次回折光を発生させる深さであり、６３０ｎｍ〜６８０ｎｍの範囲内にある波長λ２を有する第２光ビームに対して＋１次回折光を発生させる深さであることを特徴とする複合対物レンズ。
【請求項２】
ホログラムと屈折型レンズからなる複合対物レンズであって、
前記ホログラムは、少なくとも内周部に形成された鋸歯状断面形状を有する格子を備え、前記鋸歯状断面形状の深さｈ２は、６３０ｎｍ〜６８０ｎｍの範囲内にある波長λ２を有する第２光ビームに対して約１波長の光路差を与えて＋１次回折光を発生させる深さであり、３９０ｎｍ〜４１５ｎｍの範囲内にある波長λ１を有する第１光ビームに対して＋２次回折光を発生させる深さであることを特徴とする複合対物レンズ。
【請求項３】
ホログラムと屈折型レンズからなる複合対物レンズであって、
前記ホログラムは、少なくとも内周部に形成された鋸歯状断面形状を有する格子を備え、前記鋸歯状断面形状の深さｈ４は、３９０ｎｍ〜４１５ｎｍの範囲内にある波長λ１を有する第１光ビームに対して１．７波長より大きく２波長より小さい光路差を与えて＋２次回折光を発生させる深さであり、６３０ｎｍ〜６８０ｎｍの範囲内にある波長λ２を有する第２光ビームに対して＋１次回折光を発生させる深さであることを特徴とする複合対物レンズ。
【請求項４】
前記鋸歯状断面形状の深さｈ４は、前記第１光ビームに対して１．９波長の光路差を与える深さであることを特徴とする請求項３記載の複合対物レンズ。
【請求項５】
ホログラムと屈折型レンズからなる複合対物レンズであって、
前記ホログラムは、３９０ｎｍ〜４１５ｎｍの範囲内にある波長λ１を有する第１光ビームに対しては＋２次回折光を最も強く発生させ、６３０ｎｍ〜６８０ｎｍの範囲内にある波長λ２を有する第２光ビームに対しては＋１次回折光を最も強く発生させ、
前記屈折型レンズは、前記ホログラムを介した前記第１光ビームの＋２次回折光を、厚さｔ１の基材を通して集光し、前記ホログラムの内周部を介した前記第２光ビームの＋１次回折光を、前記厚さｔ１よりも大きい厚さｔ２の基材を通して集光することを特徴とする複合対物レンズ。
【請求項６】
前記ホログラムは、外周部に形成された鋸歯状断面形状を有する格子を備え、前記外周部に形成された格子の鋸歯状断面形状の深さｈ３は、前記第１光ビームに対して約１波長の光路差を与えて＋１次回折光を最も強く発生させる深さであることを特徴とする請求項１、２、３、および５のいずれか一項記載の複合対物レンズ。
【請求項７】
前記第１光ビームを厚さｔ１の基材を通して集光する場合に、前記ホログラムは、前記波長λ１の変化に対する焦点距離の変化を低減するために、凸レンズとして作用するように構成されることを特徴とする請求項１、２、３、および５のいずれか一項記載の複合対物レンズ。
【請求項８】
前記ホログラムは、光ディスク側の焦点位置を複合対物レンズから離すために、前記第１光ビームを厚さｔ１の基材を通して集光する場合に、前記ホログラムの内周部を通る前記第２光ビームを、厚さｔ２の基材を通して集光する場合よりも、凸レンズとしての作用が大きくなるように、あるいは前記ホログラムの内周部を通る前記第２光ビームを、厚さｔ２の基材を通して集光する場合に、前記第１光ビームを厚さｔ１の基材を通して集光する場合よりも、凸レンズとしての作用が小さくなるように構成されることを特徴とする請求項１、２、３、および５のいずれか一項記載の複合対物レンズ。
【請求項９】
前記ホログラムを構成する格子の断面形状は、前記ホログラムを形成する基材が外周側に斜面を有する鋸歯形状であることを特徴とする請求項１、２、３、および５のいずれか一項記載の複合対物レンズ。
【請求項１０】
前記ホログラムと前記屈折型レンズは一体固定されることを特徴とする請求項１、２、３、および５のいずれか一項記載の複合対物レンズ。
【請求項１１】
前記屈折型レンズは、集光スポットと反対側の屈折面が非球面であることを特徴とする請求項１、２、３、および５のいずれか一項記載の複合対物レンズ。
【請求項１２】
前記ホログラムは、前記屈折型レンズの前記非球面に一体形成されることを特徴とする請求項１１記載の複合対物レンズ。
【請求項１３】
前記ホログラムは、前記屈折型レンズの表面に一体形成されることを特徴とする請求項１、２、３、および５のいずれか一項記載の複合対物レンズ。
【請求項１４】
前記第１光ビームが厚さｔ１の基材を通して集光される開口数をＮＡｂ、前記第２光ビームが厚さｔ２の基材を通して集光される開口数をＮＡｒとした場合、
ＮＡｂ＞ＮＡｒであることを特徴とする請求項６記載の複合対物レンズ。
【請求項１５】
３９０ｎｍ〜４１５ｎｍの範囲内にある波長λ１を有する第１光ビームを出射する第１レーザー光源と、
６３０ｎｍ〜６８０ｎｍの範囲内にある波長λ２を有する第２光ビームを出射する第２レーザー光源と、
前記第１レーザー光源から出射される第１光ビームを受けて、厚さｔ１の基材を通して第１光ディスクの記録面上に集光し、前記第２レーザー光源から出射される第２光ビームを受けて、前記厚さｔ１よりも大きい厚さｔ２の基材を通して第２光ディスクの記録面上に集光する、請求項１、２、３、および５のいずれか一項記載の複合対物レンズと、
前記第１および第２光ディスクの記録面上でそれぞれ反射された前記第１および第２光ビームを受けて、その光量に応じた電気信号を出力する光検出器とを具備したことを特徴とする光ヘッド装置。
【請求項１６】
前記光ヘッド装置は、前記第１および第２レーザー光源からそれぞれ出射された前記第１および第２光ビームを平行光にするコリメートレンズを具備し、
前記第２光ビームを前記第２光ディスクの記録面上に集光する際には、前記コリメートレンズを前記第２レーザー光源側に近づけて、前記第２光ビームを拡散光にして前記複合対物レンズに入射させることにより、前記第２光ディスク側の焦点位置を前記複合対物レンズから離すことを特徴とする請求項１５記載の光ヘッド装置。
【請求項１７】
前記第１および第２レーザー光源は、その発光点が両方とも、前記複合対物レンズの前記第１および第２光ディスク側の焦点位置に対して結像関係にあるように配置され、前記光検出器は、前記第１および第２光ディスクの記録面上でそれぞれ反射された前記第１および第２光ビームに対して共通に設けられ、前記第１および第２光ビームを受けてサーボ信号を検出することを特徴とする請求項１５または１６記載の光ヘッド装置。
【請求項１８】
３９０ｎｍ〜４１５ｎｍの範囲内にある波長λ１を有する第１光ビームを出射する第１レーザー光源と、６３０ｎｍ〜６８０ｎｍの範囲内にある波長λ２を有する第２光ビームを出射する第２レーザー光源と、前記第１レーザー光源から出射される第１光ビームを受けて、厚さｔ１の基材を通して第１光ディスクの記録面上に集光し、前記第２レーザー光源から出射される第２光ビームを受けて、前記厚さｔ１よりも大きい厚さｔ２の基材を通して第２光ディスクの記録面上に集光する、請求項１、２、３、および５のいずれか一項記載の複合対物レンズと、前記第１および第２光ディスクの記録面上でそれぞれ反射された前記第１および第２光ビームを受けて、その光量に応じた電気信号を出力する光検出器とを具備した光ヘッド装置と、
前記第１および第２光ディスクを回転するモーターと、
前記光ヘッド装置から得られる信号を受けて、該信号に基づいて前記モーター、前記複合対物レンズ、前記第１および第２レーザー光源を駆動制御する電気回路とを具備したことを特徴とする光情報装置。
【請求項１９】
前記光ヘッド装置は、前記第１および第２レーザー光源からそれぞれ出射された前記第１および第２光ビームを平行光にするコリメートレンズを具備し、前記光情報装置は、基材の厚さｔ２が０．６ｍｍである前記第２光ディスクが装填された場合に、前記コリメートレンズを前記第２レーザー光源側に移動制御することを特徴とする請求項１８記載の光情報装置。
【請求項２０】
光情報装置と、
情報を入力するための入力手段と、
前記入力手段から入力された情報、および前記光情報装置から再生された情報に基づいて演算を行う演算装置と、
前記入力手段から入力された情報、前記光情報装置から再生された情報、および前記演算装置によって演算された結果を表示あるいは出力するための出力手段とを備えたコンピュータであって、
前記光情報装置は、
３９０ｎｍ〜４１５ｎｍの範囲内にある波長λ１を有する第１光ビームを出射する第１レーザー光源と、６３０ｎｍ〜６８０ｎｍの範囲内にある波長λ２を有する第２光ビームを出射する第２レーザー光源と、前記第１レーザー光源から出射される第１光ビームを受けて、厚さｔ１の基材を通して第１光ディスクの記録面上に集光し、前記第２レーザー光源から出射される第２光ビームを受けて、前記厚さｔ１よりも大きい厚さｔ２の基材を通して第２光ディスクの記録面上に集光する、請求項１、２、３、および５のいずれか一項記載の複合対物レンズと、前記第１および第２光ディスクの記録面上でそれぞれ反射された前記第１および第２光ビームを受けて、その光量に応じた電気信号を出力する光検出器とを具備した光ヘッド装置と、
前記第１および第２光ディスクを回転するモーターと、
前記光ヘッド装置から得られる信号を受けて、該信号に基づいて前記モーター、前記複合対物レンズ、前記第１および第２レーザー光源を駆動制御する電気回路とを具備したことを特徴とするコンピュータ。
【請求項２１】
光情報装置と、
前記光情報装置から得られる情報信号を画像信号に変換するデコーダとを備えた光ディスクプレーヤーであって、
前記光情報装置は、
３９０ｎｍ〜４１５ｎｍの範囲内にある波長λ１を有する第１光ビームを出射する第１レーザー光源と、６３０ｎｍ〜６８０ｎｍの範囲内にある波長λ２を有する第２光ビームを出射する第２レーザー光源と、前記第１レーザー光源から出射される第１光ビームを受けて、厚さｔ１の基材を通して第１光ディスクの記録面上に集光し、前記第２レーザー光源から出射される第２光ビームを受けて、前記厚さｔ１よりも大きい厚さｔ２の基材を通して第２光ディスクの記録面上に集光する、請求項１、２、３、および５のいずれか一項記載の複合対物レンズと、前記第１および第２光ディスクの記録面上でそれぞれ反射された前記第１および第２光ビームを受けて、その光量に応じた電気信号を出力する光検出器とを具備した光ヘッド装置と、
前記第１および第２光ディスクを回転するモーターと、
前記光ヘッド装置から得られる信号を受けて、該信号に基づいて前記モーター、前記複合対物レンズ、前記第１および第２レーザー光源を駆動制御する電気回路とを具備したことを特徴とする光ディスクプレーヤー。
【請求項２２】
光情報装置と、
前記光情報装置から得られる情報信号を画像信号に変換するデコーダとを備えたカーナビゲーションシステムであって、
前記光情報装置は、
３９０ｎｍ〜４１５ｎｍの範囲内にある波長λ１を有する第１光ビームを出射する第１レーザー光源と、６３０ｎｍ〜６８０ｎｍの範囲内にある波長λ２を有する第２光ビームを出射する第２レーザー光源と、前記第１レーザー光源から出射される第１光ビームを受けて、厚さｔ１の基材を通して第１光ディスクの記録面上に集光し、前記第２レーザー光源から出射される第２光ビームを受けて、前記厚さｔ１よりも大きい厚さｔ２の基材を通して第２光ディスクの記録面上に集光する、請求項１、２、３、および５のいずれか一項記載の複合対物レンズと、前記第１および第２光ディスクの記録面上でそれぞれ反射された前記第１および第２光ビームを受けて、その光量に応じた電気信号を出力する光検出器とを具備した光ヘッド装置と、
前記第１および第２光ディスクを回転するモーターと、
前記光ヘッド装置から得られる信号を受けて、該信号に基づいて前記モーター、前記複合対物レンズ、前記第１および第２レーザー光源を駆動制御する電気回路とを具備したことを特徴とするカーナビゲーションシステム。
【請求項２３】
光情報装置と、
画像信号を前記光情報装置に記録する情報信号に変換するエンコーダとを備えた光ディスクレコーダーであって、
前記光情報装置は、
３９０ｎｍ〜４１５ｎｍの範囲内にある波長λ１を有する第１光ビームを出射する第１レーザー光源と、６３０ｎｍ〜６８０ｎｍの範囲内にある波長λ２を有する第２光ビームを出射する第２レーザー光源と、前記第１レーザー光源から出射される第１光ビームを受けて、厚さｔ１の基材を通して第１光ディスクの記録面上に集光し、前記第２レーザー光源から出射される第２光ビームを受けて、前記厚さｔ１よりも大きい厚さｔ２の基材を通して第２光ディスクの記録面上に集光する、請求項１、２、３、および５のいずれか一項記載の複合対物レンズと、前記第１および第２光ディスクの記録面上でそれぞれ反射された前記第１および第２光ビームを受けて、その光量に応じた電気信号を出力する光検出器とを具備した光ヘッド装置と、
前記第１および第２光ディスクを回転するモーターと、
前記光ヘッド装置から得られる信号を受けて、該信号に基づいて前記モーター、前記複合対物レンズ、前記第１および第２レーザー光源を駆動制御する電気回路とを具備したことを特徴とする光ディスクレコーダー。
【請求項２４】
光情報装置と、
外部から入力された情報信号を前記光情報装置に記録し、また前記光情報装置から再生された情報信号を外部に出力するための入出力端子とを備えた光ディスクサーバーであって、
前記光情報装置は、
３９０ｎｍ〜４１５ｎｍの範囲内にある波長λ１を有する第１光ビームを出射する第１レーザー光源と、６３０ｎｍ〜６８０ｎｍの範囲内にある波長λ２を有する第２光ビームを出射する第２レーザー光源と、前記第１レーザー光源から出射される第１光ビームを受けて、厚さｔ１の基材を通して第１光ディスクの記録面上に集光し、前記第２レーザー光源から出射される第２光ビームを受けて、前記厚さｔ１よりも大きい厚さｔ２の基材を通して第２光ディスクの記録面上に集光する、請求項１、２、３、および５のいずれか一項記載の複合対物レンズと、前記第１および第２光ディスクの記録面上でそれぞれ反射された前記第１および第２光ビームを受けて、その光量に応じた電気信号を出力する光検出器とを具備した光ヘッド装置と、
前記第１および第２光ディスクを回転するモーターと、
前記光ヘッド装置から得られる信号を受けて、該信号に基づいて前記モーター、前記複合対物レンズ、前記第１および第２レーザー光源を駆動制御する電気回路とを具備したことを特徴とする光ディスクサーバー。
【請求項２５】
前記鋸歯状断面形状の深さｈ１は、３９０ｎｍ〜４１５ｎｍの範囲内にある波長λ１を有する第１光ビームに対して約２波長の光路差を与えて＋２次回折光を最も強く発生させる深さであり、６３０ｎｍ〜６８０ｎｍの範囲内にある波長λ２を有する第２光ビームに対して＋１次回折光を最も強く発生させる深さであることを特徴とする請求項１記載の複合対物レンズ。
【請求項２６】
前記鋸歯状断面形状の深さｈ２は、６３０ｎｍ〜６８０ｎｍの範囲内にある波長λ２を有する第２光ビームに対して約１波長の光路差を与えて＋１次回折光を最も強く発生させる深さであり、３９０ｎｍ〜４１５ｎｍの範囲内にある波長λ１を有する第１光ビームに対して＋２次回折光を最も強く発生させる深さであることを特徴とする請求項２記載の複合対物レンズ。
【請求項２７】
前記鋸歯状断面形状の深さｈ４は、３９０ｎｍ〜４１５ｎｍの範囲内にある波長λ１を有する第１光ビームに対して１．７波長より大きく２波長より小さい光路差を与えて＋２次回折光を最も強く発生させる深さであり、６３０ｎｍ〜６８０ｎｍの範囲内にある波長λ２を有する第２光ビームに対して＋１次回折光を最も強く発生させる深さであることを特徴とする請求項３記載の複合対物レンズ。
【手続補正２】
【補正対象書類名】明細書
【補正対象項目名】００３０
【補正方法】変更
【補正の内容】
【００３０】  【課題を解決するための手段】  前記の目的を達成するため、本発明に係る第１の複合対物レンズは、ホログラムと屈折型レンズからなる複合対物レンズであって、ホログラムは、少なくとも内周部に形成された鋸歯状断面形状を有する格子を備え、鋸歯状断面形状の深さｈ１は、３９０ｎｍ〜４１５ｎｍの範囲内にある波長λ１を有する第１光ビームに対して約２波長の光路差を与えて＋２次回折光を発生させる深さであり、６３０ｎｍ〜６８０ｎｍの範囲内にある波長λ２を有する第２光ビームに対して＋１次回折光を発生させる深さであることを特徴とする。ここで、鋸歯状断面形状の深さｈ１は、第１光ビームに対して約２波長の光路差を与えて＋２次回折光を最も強く発生させる深さに、第２光ビームに対して＋１次回折光を最も強く発生させる深さに設定することが好ましい。
【手続補正３】
【補正対象書類名】明細書
【補正対象項目名】００３１
【補正方法】削除
【補正の内容】
【手続補正４】
【補正対象書類名】明細書
【補正対象項目名】００３２
【補正方法】削除
【補正の内容】
【手続補正５】
【補正対象書類名】明細書
【補正対象項目名】００３３
【補正方法】削除
【補正の内容】
【手続補正６】
【補正対象書類名】明細書
【補正対象項目名】００３４
【補正方法】削除
【補正の内容】
【手続補正７】
【補正対象書類名】明細書
【補正対象項目名】００３５
【補正方法】削除
【補正の内容】
【手続補正８】
【補正対象書類名】明細書
【補正対象項目名】００３６
【補正方法】削除
【補正の内容】
【手続補正９】
【補正対象書類名】明細書
【補正対象項目名】００３７
【補正方法】削除
【補正の内容】
【手続補正１０】
【補正対象書類名】明細書
【補正対象項目名】００３８
【補正方法】削除
【補正の内容】
【手続補正１１】
【補正対象書類名】明細書
【補正対象項目名】００３９
【補正方法】変更
【補正の内容】
【００３９】  前記の目的を達成するため、本発明に係る第２の複合対物レンズは、ホログラムと屈折型レンズからなる複合対物レンズであって、ホログラムは、少なくとも内周部に形成された鋸歯状断面形状を有する格子を備え、鋸歯状断面形状の深さｈ２は、６３０ｎｍ〜６８０ｎｍの範囲内にある波長λ２を有する第２光ビームに対して約１波長の光路差を与えて＋１次回折光を発生させる深さであり、３９０ｎｍ〜４１５ｎｍの範囲内にある波長λ１を有する第１光ビームに対して＋２次回折光を発生させる深さであることを特徴とする。ここで、鋸歯状断面形状の深さｈ２は、第２光ビームに対して約１波長の光路差を与えて＋１次回折光を最も強く発生させる深さに、３９０ｎｍ〜４１５ｎｍの範囲内にある波長λ１を有する第１光ビームに対して＋２次回折光を最も強く発生させる深さに設定することが好ましい。
【手続補正１２】
【補正対象書類名】明細書
【補正対象項目名】００４０
【補正方法】変更
【補正の内容】
【００４０】  前記の目的を達成するため、本発明に係る第３の複合対物レンズは、ホログラムと屈折型レンズからなる複合対物レンズであって、ホログラムは、少なくとも内周部に形成された鋸歯状断面形状を有する格子を備え、鋸歯状断面形状の深さｈ４は、３９０ｎｍ〜４１５ｎｍの範囲内にある波長λ１を有する第１光ビームに対して１．７波長より大きく２波長より小さい光路差を与えて＋２次回折光を発生させる深さであり、６３０ｎｍ〜６８０ｎｍの範囲内にある波長λ２を有する第２光ビームに対して＋１次回折光を発生させる深さであることを特徴とする。ここで、鋸歯状断面形状の深さｈ４は、第１光ビームに対して１．７波長より大きく２波長より小さい光路差を与えて＋２次回折光を最も強く発生させる深さに、第２光ビームに対して＋１次回折光を最も強く発生させる深さに設定することが好ましい。
【手続補正１３】
【補正対象書類名】明細書
【補正対象項目名】００４１
【補正方法】変更
【補正の内容】
【００４１】  第３の複合対物レンズにおいて、鋸歯状断面形状の深さｈ４は、第１光ビームに対して１．９波長の光路差を与える深さであることが好ましい。
【手続補正１４】
【補正対象書類名】明細書
【補正対象項目名】００４２
【補正方法】変更
【補正の内容】
【００４２】  前記の目的を達成するため、本発明に係る第４の複合対物レンズは、ホログラムと屈折型レンズからなる複合対物レンズであって、ホログラムは、３９０ｎｍ〜４１５ｎｍの範囲内にある波長λ１を有する第１光ビームに対しては＋２次回折光を最も強く発生させ、６３０ｎｍ〜６８０ｎｍの範囲内にある波長λ２を有する第２光ビームに対しては＋１次回折光を最も強く発生させ、屈折型レンズは、ホログラムを介した第１光ビームの＋２次回折光を、厚さｔ１の基材を通して集光し、ホログラムの内周部を介した第２光ビームの＋１次回折光を、厚さｔ１よりも大きい厚さｔ２の基材を通して集光することを特徴とする。
【手続補正１５】
【補正対象書類名】明細書
【補正対象項目名】００４３
【補正方法】変更
【補正の内容】
【００４３】  第１から第４の複合対物レンズにおいて、ホログラムは、外周部に形成された鋸歯状断面形状を有する格子を備え、外周部に形成された格子の鋸歯状断面形状の深さｈ３は、第１光ビームに対して約１波長の光路差を与えて＋１次回折光を最も強く発生させる深さであり、第２光ビームに対しても＋１次回折光を最も強く発生させる深さである。
【手続補正１６】
【補正対象書類名】明細書
【補正対象項目名】００４４
【補正方法】変更
【補正の内容】
【００４４】  第１から第４の複合対物レンズにおいて、第１光ビームを厚さｔ１の基材を通して集光する場合に、ホログラムは、波長λ１の変化に対する焦点距離の変化を低減するために、凸レンズとして作用するように構成される。
【手続補正１７】
【補正対象書類名】明細書
【補正対象項目名】００４５
【補正方法】変更
【補正の内容】
【００４５】  第１から第４の複合対物レンズにおいて、ホログラムは、光ディスク側の焦点位置を複合対物レンズから離すために、第１光ビームを厚さｔ１の基材を通して集光する場合に、ホログラムの内周部を通る第２光ビームを、厚さｔ２の基材を通して集光する場合よりも、凸レンズとしての作用が大きくなるように、あるいはホログラムの内周部を通る第２光ビームを、厚さｔ２の基材を通して集光する場合に、第１光ビームを厚さｔ１の基材を通して集光する場合よりも、凸レンズとしての作用が小さくなるように構成される。これにより、光ディスク側の焦点位置を複合対物レンズから離す、すなわちワーキングディスタンスを広げることができる。
【手続補正１８】
【補正対象書類名】明細書
【補正対象項目名】００４６
【補正方法】変更
【補正の内容】
【００４６】  第１から第４の複合対物レンズにおいて、ホログラムを構成する格子の断面形状は、ホログラムを形成する基材が外周側に斜面を有する鋸歯形状である。
【手続補正１９】
【補正対象書類名】明細書
【補正対象項目名】００４７
【補正方法】変更
【補正の内容】
【００４７】  第１から第４の複合対物レンズにおいて、ホログラムと屈折型レンズは一体固定されることが好ましい。
【手続補正２０】
【補正対象書類名】明細書
【補正対象項目名】００４８
【補正方法】変更
【補正の内容】
【００４８】  または、第１から第４の複合対物レンズにおいて、屈折型レンズは、集光スポットと反対側の屈折面が非球面であることが好ましい。この場合、ホログラムは、屈折型レンズの非球面に一体形成されることが好ましい。
【手続補正２１】
【補正対象書類名】明細書
【補正対象項目名】００４９
【補正方法】変更
【補正の内容】
【００４９】  または、第１から第４の複合対物レンズにおいて、ホログラムは、屈折型レンズの表面に一体形成されることが好ましい。
【手続補正２２】
【補正対象書類名】明細書
【補正対象項目名】００５０
【補正方法】変更
【補正の内容】
【００５０】  第１から第４の複合対物レンズにおいて、第１光ビームが厚さｔ１の基材を通して集光される開口数をＮＡｂ、前記第２光ビームが厚さｔ２の基材を通して集光される開口数をＮＡｒとした場合、ＮＡｂ＞ＮＡｒである。
【手続補正２３】
【補正対象書類名】明細書
【補正対象項目名】００５１
【補正方法】変更
【補正の内容】
【００５１】  前記の目的を達成するため、本発明に係る光ヘッド装置は、３９０ｎｍ〜４１５ｎｍの範囲内にある波長λ１を有する第１光ビームを出射する第１レーザー光源と、６３０ｎｍ〜６８０ｎｍの範囲内にある波長λ２を有する第２光ビームを出射する第２レーザー光源と、第１レーザー光源から出射される第１光ビームを受けて、厚さｔ１の基材を通して第１光ディスクの記録面上に集光し、第２レーザー光源から出射される第２光ビームを受けて、厚さｔ１よりも大きい厚さｔ２の基材を通して第２光ディスクの記録面上に集光する、第１から第４の複合対物レンズのいずれか１つと、第１および第２光ディスクの記録面上でそれぞれ反射された第１および第２光ビームを受けて、その光量に応じた電気信号を出力する光検出器とを具備したことを特徴とする。